(57)【特許請求の範囲】
【請求項１】
給油機器を収納し給油ノズルのノズル掛けを設けた下部ケースと、該下部ケースから上方へ伸びた支柱と、下部ケースから離間した非防爆エリアの支柱に取り付けられ電子機器を収納した上部ケースとを有する給油装置において、前記ノズル掛けの近傍に、基板と、該基板に蝶番を介して取り付けられた揺動板と、該揺動板に取り付けられた載せ皿と、前記基板に取り付けられ前記揺動板に接離する検知器と、前記揺動板が垂下するように前記蝶番に取り付けられたコイルバネとより構成され、前記基板は前記下部ケースハウジングに固定され、前記下部ケースのパネルには角孔が開けられ、該角孔に前記揺動板が揺動自在に位置しているキャップ載せ具を設け、前記上部ケースに報知器を設け、該報知器は給油ノズルをノズル掛けに掛けた時に前記検知器がキャップを検知していると作動し、非検知となると停止することを特徴とするキャップ保持具を設けた給油装置。
【発明の詳細な説明】
【０００１】
【発明の属する技術分野】
本発明は、自動車へ燃料油を給油する給油装置で、特に給油時に自動車の給油口から外したキャップを置くキャップ載せ具と、給油終了時にキャップ載せ具にキャップが載っていると作動する報知器を設けた給油装置に関するものである。
【０００２】
【従来の技術】
自動車へ燃料油を給油する給油装置で、給油時に自動車の給油口から外したキャップを置くキャップ載せ具と、給油終了時にキャップ載せ具にキャップが載っていると作動する報知器を設けた給油装置は、特開平８ー５８８９６号として知られている。このものは単一のケースに給油機器と電子機器が収納され、このケースに検知器を有するキャップ載せ具と報知器とが設けられている。そのために防爆構造の報知器を使用する必要がある。防爆構造の報知器は光学式の場合は視認視野が狭く、音響式の場合は聞き取り難く、またいずれのものも高価である。
【０００３】
【発明が解決しようとする課題】
そこで本発明は、光学式の場合は視認視野が広く、音響式の場合は聞き取り易い報知器を有するキャップ保持具を設けた給油装置を提供することである。
【０００４】
【課題を解決するための手段】
上記目的を達成するために、本発明は、給油機器を収納し給油ノズルのノズル掛けを設けた下部ケースと、該下部ケースから上方へ伸びた支柱と、下部ケースから離間した非防爆エリアの支柱に取り付けられ電子機器を収納した上部ケースとを有する給油装置において、前記ノズル掛けの近傍に、基板と、該基板に蝶番を介して取り付けられた揺動板と、該揺動板に取り付けられた載せ皿と、前記基板に取り付けられ前記揺動板に接離する検知器と、前記揺動板が垂下するように前記蝶番に取り付けられたコイルバネとより構成され、前記基板は前記下部ケースハウジングに固定され、前記下部ケースのパネルには角孔が開けられ、該角孔に前記揺動板が揺動自在に位置しているキャップ載せ具を設け、前記上部ケースに報知器を設け、該報知器は給油ノズルをノズル掛けに掛けた時に前記検知器がキャップを検知していると作動し、非検知となると停止することを要旨とするものである。
【０００５】
本発明によれば、キャップ載せ具のハウジングへの取付が容易であり、見栄えが良い。
【０００６】
【発明の実施の形態】
以下、本発明の実施の形態を、ハイオクガソリン、レギュラーガソリン及び軽油の３油種を給油できるセルフサービス用の給油装置の例で説明する。図１に示すように、給油装置は２本の支柱１、１間に設けられた下部ケース２と、この下部ケースから離間した上方の非防爆エリアに設けられた上部ケース３と、支柱の上端に設けられた頂部ケース４とを有している。
【０００７】
下部ケース２には図示しないポンプおよび流量計等の機器が各油種毎に設けられ、上部ケース３には制御装置５および表示器６が設けられ、頂部ケース４には下部ケース２から支柱１内を通って伸びる図示しない給油管が各油種毎に配設され、これらの給油管には各油種毎のホース７、７、７が接続され、このホース７の先端に取り付けられている給油ノズル８は、下部ケース２に設けられたノズル掛け９に掛けられている。それぞれのノズル掛け９、９、９には給油ノズル８、８、８の掛け外しを検知するノズルスイッチＮＳ１、ＮＳ２、ＮＳ３が設けられている。ノズルスイッチからの図示しない信号線は、支柱１内を介して上部ケース３の制御装置５に導入されている。
【０００８】
そして下部ケース２のノズル掛け９の近傍にはキャップ載せ具１０が設けられ、上部ケース３には報知器３０が設けられている。この報知器３０はランプが点滅する光学式のもの、あるいは音声が発される音響式のものが、単独又は併用して用いられている。
【０００９】
図２、３に示すように、キャップ載せ具１０は基板１１と、この基板１１に蝶番１２を介して取り付けられた揺動板１３と、揺動板１３にビス１４で取り付けられた載せ皿１５と、基板１１に設けられた検知器ＣＳと、揺動板１３が垂下するように蝶番１２に取り付けられたコイルバネ１６とより構成されている。載せ皿１５は自動車のキャップＣが置きやすい形状であり、底面は凸凹に形成され、雨水が溜まらないように孔１７が開けられている。
【００１０】
そして、キャップ載せ具１０の基板１１は下部ケース２のハウジング２１にボルト２４で固定され、下部ケース２のパネル２２には揺動板１３より少し大きい角孔２３が開けられ、この角孔２３に揺動板１３が位置している。
【００１１】
検知器ＣＳからの信号線１８は、支柱１内を介して上部ケース３の制御装置５に導入されている。
【００１２】
図４に示すように制御装置５の回路は、ノズルスイッチＮＳ１、ＮＳ２、ＮＳ３にリレーＲ１を直列に接続し、リレーＲ１の接点ＲＳ１１にキャップ載せ具１０の検知器ＣＳとリレーＲ２を直列に接続し、接点ＲＳ１１に並列にリレーＲ２の自己保持接点ＲＳ２１を接続し、リレーＲ１の接点ＲＳ１２とリレーＲ２の接点ＲＳ２２とリレーＲ３とを直列に接続し、リレーＲ３の接点ＲＳ３と報知器３０とを直列に接続して構成されている。
【００１３】
次に動作を説明する。自動車の給油口より外したキャップＣを、キャップ載せ具１０の載せ皿１５に載せると、コイルバネ１６に抗して揺動板１３が回動し検知器ＣＳが閉じる。そして所望の油種、例えばハイオクガソリンの給油ノズル８をノズル掛け９より外すと、ノズルスイッチＮＳ１が閉じてリレーＲ１が働きその接点ＲＳ１１が閉じ接点ＲＳ１２が開く。そしてリレーＲ２が働きその接点ＲＳ２１が閉じて自己保持され、接点ＲＳ２２が閉じる。ノズルスイッチＮＳ１が閉じることにより、図示しない給油制御装置により表示器６が帰零され、ハイオクガソリンの給油ポンプが駆動され、給油ノズル８の弁を開けば給油され、給油量は表示器６に表示される。
【００１４】
給油が終わり給油ノズル８をノズル掛け９に掛けると、ノズルスイッチＮＳ１が開き給油ポンプの駆動は停止し、リレーＲ１が消勢され、その接点ＲＳ１１が開き接点ＲＳ１２が閉じる。接点ＲＳ１２が閉じることによりリレーＲ３が働きその接点ＲＳ３が閉じ報知器３０が作動し、「キャップを閉め忘れないようにして下さい」と発声されたり、ランプが点滅したりする。これによりキャップの締め忘れは防止される。そして載せ皿１５よりキャップＣを取るとコイルバネ１６により揺動板１３は戻り、検知器ＣＳが開き、リレーＲ２が消勢され、その接点ＲＳ２１、ＲＳ２２が開きリレーＲ２の自己保持が解かれ、リレーＲ３が消勢され報知器３０が停止する。
【００１５】
また、図５に示すように制御装置５は、マイコンを使用しても同様に実施できる。即ち、キャップＣを載せ皿１５上に載せて給油をし、給油が終わり給油ノズル８をノズル掛け９に掛けると、ノズルスイッチＮＳ１が開いて給油終了信号が制御装置５に入力する（Ｓ１）。このとき載せ皿１５にキャップＣが載っていて検知器ＣＳが閉じていて、キャップ有り信号が入力していると（Ｓ２）、報知器３０が作動する（Ｓ３）。そして載せ皿１５よりキャップＣを取り、検知器ＣＳが開いてキャップ無しとなると（Ｓ４）、報知器３０が停止する（Ｓ５）。
【００１６】
【発明の効果】
以上説明したように本発明のキャップ保持具を設けた給油装置は、給油機器を収納し給油ノズルのノズル掛けを設けた下部ケースと、該下部ケースから上方へ伸びた支柱と、下部ケースから離間した非防爆エリアの支柱に取り付けられ電子機器を収納した上部ケースとを有する給油装置において、前記ノズル掛けの近傍に検知器を有するキャップ載せ具を設け、前記上部ケースに報知器を設け、該報知器は給油ノズルをノズル掛けに掛けた時に前記検知器がキャップを検知していると作動し、非検知となると停止するようにしている。このように報知器を非防爆エリアに設けているので、報知器が光学式の場合は視認視野が広く、音響式の場合は聞き取り易く、そして安価なものとなる。
【図面の簡単な説明】
【図１】  本発明のキャップ保持具を設けた給油装置の正面図である。
【図２】  本発明のキャップ載せ具の部分の断面図である。
【図３】  本発明のキャップ載せ具の部分の正面図である。
【図４】  リレーで構成した制御装置の回路図である。
【図５】  マイコンで構成して制御装置のフロー図である。
【符号の説明】
１  支柱
２  下部ケース
３  上部ケース
４  頂部ケース
５  制御装置
６  表示器
７  ホース
８  給油ノズル
９  ノズル掛け
１０  キャップ載せ具
１１  基板
１２  蝶番
１３  揺動板
１４  ビス
１５  載せ皿
１６  コイルバネ
１７  孔
１８  信号線
２１  ハウジング
２２  パネル
２３  角孔
２４  ボルト
【図１】
0003651111.tif 000002
【図２】
0003651111.tif 000003
【図３】
0003651111.tif 000004
【図４】
0003651111.tif 000005
【図５】
0003651111.tif 000006